(57)【要約】【課題】外観のデザインを損なうことなく、高性能の無線通信を行うことができる表示装置及び撮像装置を提供する。【解決手段】アンテナユニット５０は、アンテナ７０、アンテナ保護部材７２及び電極７４を含んでいる。アンテナ７０は、導電性を有し、透明度が高い透明電極材料により形成される。アンテナ保護部材７２は、上記アンテナ７０を構成する透明電極材料と透明度、屈折率が略同じ絶縁体材料により形成される。アンテナユニット５０は、ＬＣＤトップ８０とＬＣＤユニット９０の間に配置されている。ＬＣＤトップ８０が金属等の導体の場合には、アンテナ７０は、開口部８０Ａの縁にかからないように配置される。なお、アンテナユニット５０は、反射板８４、導光板８６、拡散シート８８及びＬＣＤユニット９０等の光を透過する光学部材の間に配置してもよい。また、アンテナユニット５０は、ＬＣＤボトム８２の前後等の光の通過する経路外に配置してもよく、この場合、不透明の部材により形成してもよい。【選択図】図５
2007251550.tif 000002
【特許請求の範囲】
【請求項１】
画像を表示する表示面を有する表示手段と、
透明電極材料により形成され、前記表示手段の表示面側に配置されたアンテナと、
前記アンテナを介して無線通信を行う無線通信手段と、
を備えることを特徴とする表示装置。
【請求項２】
画像を表示する表示面を有する表示手段と、
前記表示手段を照明する照明手段と、
透明電極材料により形成され、前記表示手段と照明手段の間に配置されたアンテナと、
前記アンテナを介して無線通信を行う無線通信手段と、
を備えることを特徴とする表示装置。
【請求項３】
前記アンテナは、光を透過するシート状に形成されることを特徴とする請求項１又は２記載の表示装置。
【請求項４】
画像を表示する表示面を有する表示手段と、
前記表示面の反対側であって、光の経路外に配置されたアンテナと、
前記アンテナを介して無線通信を行う無線通信手段と、
を備えることを特徴とする表示装置。
【請求項５】
前記表示面の反対側に配置され、前記表示手段を保持する保持部材を更に備え、
前記アンテナは、前記保持部材上の前記表示手段側の面に形成されていることを特徴とする請求項４記載の表示装置。
【請求項６】
絶縁体によって形成されており、前記表示面の反対側に配置され、前記表示手段を保持する保持部材を更に備え、
前記アンテナは、前記保持部材の前記表示手段の反対側の面に形成されていることを特徴とする請求項４記載の表示装置。
【請求項７】
前記アンテナは、第１のアンテナと第２のアンテナの少なくとも１対のアンテナを含んでおり、
前記第１、第２のアンテナは、その両端の距離が無線通信に用いる電波の波長の略２分の１の長さ、又は前記波長の２分の１より小さくなるように配設されていることを特徴とする請求項１から６のいずれか１項記載の表示装置。
【請求項８】
前記表示面は、前記アンテナを収めることができる大きさであることを特徴とする請求項７記載の表示装置。
【請求項９】
請求項１から８のいずれか１項記載の表示装置を備えることを特徴とする撮像装置。
【発明の詳細な説明】
【技術分野】
【０００１】
本発明は表示装置及び撮像装置に係り、特に無線通信機能を有する表示装置、及びこのような表示装置を備える撮像装置に関する。
【背景技術】
【０００２】
従来、金属製の後カバーの背面より膨出させたプラスチック製のファインダ接眼部カバーの内側に、無線通信ユニットのチップアンテナが配設された電子カメラについて開示されている（特許文献１）。特許文献２には、電波時計用の標準電波を受信するアンテナが撮像用レンズを遮蔽する保護カバー内、カメラ表面の握り部内、又は撮像用レンズを支持する鏡胴内に配設されたカメラについて開示されている。また、特許文献３には、棒状で、カメラ本体に対して立てられた第１の姿勢と、倒された第２の姿勢をとることができるアンテナを有するディジタルカメラについて開示されている。
【特許文献１】特開２００５−１１５１２６号公報
【特許文献２】特開２００３−３２２８９８号公報
【特許文献３】特開２００３−３１９２２５号公報
【発明の開示】
【発明が解決しようとする課題】
【０００３】
上記特許文献１及び２では、アンテナがカメラの筐体の内部に配置されているため、カメラの筐体等の電磁的影響により、アンテナの指向性が劣化し、無線通信が不安定になるという問題があった。特に、カメラの筐体が金属を含む場合には無線通信の性能の低下が顕著であった。上記特許文献３によれば、アンテナの先端がカメラの先端から離れており、無線通信の性能を向上させることができるが、アンテナがカメラの表面から突出しているため、カメラの外観デザインの自由度を損なうという問題があった。
【０００４】
本発明はこのような事情に鑑みてなされたもので、外観のデザインを損なうことなく、高性能の無線通信を行うことができる表示装置及び撮像装置を提供することを目的とする。
【課題を解決するための手段】
【０００５】
上記目的を達成するために請求項１に係る表示装置は、画像を表示する表示面を有する表示手段と、透明電極材料により形成され、前記表示手段の表示面側に配置されたアンテナと、前記アンテナを介して無線通信を行う無線通信手段とを備えることを特徴とする。
【０００６】
請求項１に係る表示装置によれば、無線通信用のアンテナを、表示手段の表示面側に透明電極材料により形成するようにしたため、表示装置の筐体等が金属等の導体を含む場合であっても、これらの部材の電磁的な影響を受けることがない。これにより、無線通信機能の性能を確保することができる。
【０００７】
請求項２に係る表示装置は、画像を表示する表示面を有する表示手段と、前記表示手段を照明する照明手段と、透明電極材料により形成され、前記表示手段と照明手段の間に配置されたアンテナと、前記アンテナを介して無線通信を行う無線通信手段とを備えることを特徴とする。
【０００８】
請求項２に係る表示装置では、発光しない表示手段（例えば、液晶モニタ）に対して、無線通信用のアンテナを、表示手段と照明手段の側に透明電極材料により形成するようにしたため、表示装置の筐体等が金属等の導体を含む場合であっても、これらの部材の電磁的な影響を受けることがない。これにより、無線通信機能の性能を確保することができる。
【０００９】
請求項３に係る表示装置は、請求項１又は２において、前記アンテナは、光を透過するシート状に形成されることを特徴とする。
【００１０】
請求項３に係る表示装置によれば、アンテナが透明なシート状に形成されるため、アンテナが表示面に表示された画像の視認性を低下させることがない。
【００１１】
請求項４に係る表示装置は、画像を表示する表示面を有する表示手段と、前記表示面の反対側であって、光の経路外に配置されたアンテナと、前記アンテナを介して無線通信を行う無線通信手段とを備えることを特徴とする。
【００１２】
請求項４に係る表示装置によれば、アンテナが表示手段の表示面を介して無線通信を行うことができるため、表示装置の筐体等が金属等の導体を含む場合であっても、これらの部材の電磁的な影響を受けることがない。これにより、無線通信機能の性能を確保することができる。
【００１３】
請求項５に係る表示装置は、請求項４において、前記表示面の反対側に配置され、前記表示手段を保持する保持部材を更に備え、前記アンテナは、前記保持部材上の前記表示手段側の面に形成されていることを特徴とする。また、請求項６に係る表示装置は、請求項４において、絶縁体によって形成されており、前記表示面の反対側に配置され、前記表示手段を保持する保持部材を更に備え、前記アンテナは、前記保持部材の前記表示手段の反対側の面に形成されていることを特徴とする。請求項５及び６は、請求項４において、アンテナの配置を限定したものである。
【００１４】
請求項７に係る表示装置は、請求項１から６において、前記アンテナは、第１のアンテナと第２のアンテナの少なくとも１対のアンテナを含んでおり、前記第１、第２のアンテナは、その両端の距離が無線通信に用いる電波の波長の略２分の１の長さ、又は前記波長の２分の１より小さくなるように配設されていることを特徴とする。また、請求項８に係る表示装置は、請求項７において、前記表示面が前記アンテナを収めることができる大きさであることを特徴とする。
【００１５】
請求項７及び８に係る表示装置によれば、無線通信に必要なアンテナ間の間隔を確保することができるので、無線通信に用いる電波を確実に受信することができる。
【００１６】
請求項９に係る撮像装置は、請求項１から８のいずれか１項記載の表示装置を備えることを特徴とする。
【００１７】
請求項９に係る撮像装置によれば、上記表示装置を備えることにより、高品質の無線通信機能を有する撮像装置を実現することができる。
【発明の効果】
【００１８】
本発明によれば、表示装置の筐体等が金属等の導体を含む場合であっても、これらの部材の電磁的な影響を受けることがない。これにより、無線通信機能の性能を確保することができる。
【発明を実施するための最良の形態】
【００１９】
以下、添付図面に従って本発明に係る表示装置及び撮像装置の好ましい実施の形態について説明する。
【００２０】
［表示装置及び撮像装置の全体構成］
図１は、本発明の一実施形態に係る表示装置を備える撮像装置の外観を示す斜視図である。図１に示すように、本実施形態の撮像装置１０のカメラボディ１２は、扁平状の四角い箱型に形成されている。図１に示すように、カメラボディ１２の背面には、ファインダ接眼部１４、ファインダランプ１６、液晶モニタ（ＬＣＤ）１８、操作スイッチ２０等が設けられている。また、カメラボディ１２の上面には、レリーズボタン２２及び電源スイッチ２４が設けられている。
【００２１】
図２は、撮像装置１０の主要構成を示すブロック図である。図２に示すように、ＣＰＵ３０は、バス３２を介して撮像装置１０内の各部に接続されており、操作部３４等からの操作入力に基づいて撮像装置１０の動作を制御する統括制御部である。操作部３４は、レリーズボタン２２や電源スイッチ２４、上記操作スイッチ２０（動作モード切り替えスイッチ、十字キー等）を含んでおり、ユーザからの操作入力を受け付ける操作部材である。レリーズボタン２２は２段階式に構成されており、レリーズボタン２２を軽く押して止める「半押し（Ｓ１＝ＯＮ）」の状態で自動ピント合わせ（ＡＦ）及び自動露出制御（ＡＥ）が作動してＡＦとＡＥをロックし、「半押し」から更に押し込む「全押し（Ｓ２＝ＯＮ）」の状態で撮像が実行される。
【００２２】
メモリ３６は、メモリ制御部３８によって制御され、ＣＰＵ３０が処理するプログラム及び制御に必要な各種データ等が格納されるＲＯＭや、ＣＰＵ３０が各種の演算処理等を行う作業用領域及び画像処理領域となるＳＤＲＡＭ等を有している。
【００２３】
外部通信インターフェース（外部通信Ｉ／Ｆ）４０は、ネットワークや外部出力機器（例えば、パーソナルコンピュータやテレビジョン、ディスプレイ、プリンタ、外部記録装置）等と接続するための機器で、所定のプロトコルにしたがって各種データの送受信を行う。なお、データの送受信の方式としては、例えば、ＵＳＢやＩＥＥＥ１３９４、有線ＬＡＮ、赤外線通信（ＩｒＤＡ）等を用いることができる。
【００２４】
アンテナユニット５０は、外部機器やネットワークと無線通信を行うためのブロックである。無線通信ユニット５２は、上記アンテナユニット５０を介して、外部機器との間でデータの送受信を行うことができる。これにより、例えば、パーソナルコンピュータ（ＰＣ）や無線通信機能を有するストレージ装置、プリンタ等に撮像した画像を出力することができる。また、アンテナユニット５０を介してネットワークに接続して、ウェブページの閲覧や電子メールの送受信を行うことができる。また、無線通信ユニット５２により、ＧＰＳ情報を受信したり、標準電波を受信して撮像装置１０の内部時計の誤差の調整を行えるようにしてもよい。
【００２５】
なお、アンテナユニット５０は、デジタル放送、いわゆるワンセグ放送の受信に用いるものであってもよい。この場合、無線通信ユニット５２に代えて、デジタル放送の電波を受信して、受信したデジタル放送の映像を液晶モニタに出力する放送受信ユニットを設ければよい。
【００２６】
撮像素子５６は、光学系（レンズ）５４を介して入射した光を受け止めて電気信号に変換する素子であり、例えば、ＣＣＤである。この電気信号は、図示せぬプリアンプによって増幅され、Ａ／Ｄ変換器５８によってデジタル信号に変換されて、画像処理部６０に入力される。
【００２７】
撮像装置１０は、画像を撮像するための撮像モードと、撮像した画像を表示、再生するための再生モードの２つの動作モードを備えており、動作モードの設定はユーザによる操作部３４からの操作入力により行われる。
【００２８】
撮像モード時には、画像処理部６０によって撮像素子５６から出力された電気信号が処理されて画角確認用の画像データ（スルー画）が作成され、液晶モニタ１８に表示される。レリーズボタン２２が操作されて画像が撮像されると、撮像素子５６から出力された電気信号が画像処理部６０によって処理されて記憶用の画像ファイルが作成される。この記憶用の画像ファイルは、メモリカード６２に所定のファイル形式で記憶される。ここで、メモリカード６２は、例えば、半導体メモリ等であり、メモリカード６２への入出力は外部メモリ制御部６４によって制御される。一方、再生モード時には、画像処理部６０によってメモリカード６２に記憶された画像データが読み出されて表示用の画像データが作成されて液晶モニタ１８に表示される。
【００２９】
［アンテナユニット５０の第１の実施形態］
次に、アンテナユニット５０の第１の実施形態について、図３から図５を参照して説明する。図３は、アンテナユニット５０を示す平面図である。図３に示すように、本実施形態のアンテナユニット５０は、アンテナ７０、アンテナ保護部材７２及び電極７４を含んでいる。
【００３０】
アンテナ７０は、導電性を有し、透明度が高い透明電極材料により形成される。この透明電極材料としては、例えば、ＩＴＯ（Indium Tin Oxide）やＩＺＯ（Indium Zinc Oxide）、酸化亜鉛、ＺｎＯ：Ａｌ（ＺＡＯ）、導電性ポリマー等を用いることができる。アンテナ７０は、２対のアンテナ７０Ａ−１、７０Ａ−２、７０Ｂ−１及び７０Ｂ−２により構成されるダイポールアンテナであり、電極７４を介して無線通信ユニット５２（図２参照）に接続される。なお、アンテナの数は２対より多くても少なくてもよく、アンテナの向きは液晶モニタ１８の縦又は横方向であってもよい。また、アンテナ７０としては、図３に示したダイポールアンテナ以外のアンテナを用いてもよい。
【００３１】
図３に示すように、１対のアンテナ７０Ａ−１及びアンテナ７０Ａ−２と、アンテナ７０Ｂ−１及び７０Ｂ−２は、それぞれ液晶モニタ１８の対角線方向に配置されており、その両端の距離ｄ１が、無線通信に用いる電波の波長λの２分の１とほぼ同じ長さ、又は波長λの２分の１より小さくなるように配置される（ｄ１≦λ／２）。従って、アンテナ１本の長さｄ２は、上記波長λの４分の１とほぼ同じ長さ、又は波長λの４分の１より小さくなる（ｄ２≦λ／４）。また、液晶モニタ１８及びアンテナ保護部材７２のサイズは、アンテナ７０を収めることができるサイズとなる。アンテナ保護部材７２は、上記アンテナ７０を構成する透明電極材料と透明度、屈折率が略同じ絶縁体材料により形成される。
【００３２】
上記アンテナユニット５０を形成する際には、まず、ガラス等の基板（不図示）の表面に、スパッタリング法等により透明電極材料を成膜し、この透明電極材料をエッチングによりパターニングして、アンテナ７０及び電極７４を形成する。次に、このアンテナ７０及び電極７４を覆うように、透明の絶縁材料を成膜してアンテナ保護部材７２を形成し、このアンテナ保護部材７２の表面を平滑化して基板から剥離することにより、アンテナユニット５０が完成する。
【００３３】
図４は、液晶モニタ１８を分解して示す斜視図である。図４に示すように、液晶モニタ１８は、ＬＣＤユニットやバックライトユニット等を保持するためのＬＣＤトップ８０及びＬＣＤボトム８２を含んでいる。ＬＣＤトップ８０及びＬＣＤボトム８２は、ベゼルとも呼ばれ、例えば、金属板や樹脂により形成される。ＬＣＤトップ８０は、ユーザがＬＣＤユニットの表示を視認するための略矩形の開口部８０Ａが形成された額縁状であり、ＬＣＤボトム８２はトレイ状である。ＬＣＤトップ８０及びＬＣＤボトム８２は、互いに組み合わされて図示せぬネジ等により固定される。ＬＣＤユニットやバックライトユニット等は、ＬＣＤトップ８０とＬＣＤボトム８２の間の空間Ａに保持される。
【００３４】
図５は、ＬＣＤユニット及びバックライトユニットの主要部を分解して示す斜視図である。図５に示すように、上記空間Ａには、ＬＣＤボトム８２側から順に、反射板８４、導光板８６、拡散シート８８及びＬＣＤユニット９０が配置されている。反射板８４は、サイドライト型の光源（例えば、発光ダイオード（ＬＥＤ）等、不図示）からの光を反射させて、バックライトとして有効利用するための光学部材である。導光板８６は、裏面（図中下面）に光拡散パターンを有する透明な板状の光学部材であり、上記光源からの光を導き拡散する。拡散シート８８は、導光板８６の発光面（図中上面）側に配置されており、上記光源からの光を拡散させて、ＬＣＤユニット９０に照射される光を均一にする。これにより、ＬＣＤユニット９０に表示された像が均一に照明され、ユーザはＬＣＤユニット９０に表示された像を視認することができる。
【００３５】
図５に示すように、アンテナユニット５０は、ＬＣＤトップ８０とＬＣＤユニット９０の間に配置されている。なお、ＬＣＤトップ８０が金属等の導体の場合には、アンテナ７０は、ＬＣＤトップ８０の開口部８０Ａの縁にかからないように配置される。即ち、アンテナ７０は、開口部８０Ａより小さくなる。
【００３６】
本実施形態によれば、アンテナユニット５０を、ＬＣＤトップ８０とＬＣＤユニット９０の間に、アンテナ７０が開口部８０Ａの縁にかからないように配設することにより、カメラボディ１２やＬＣＤトップ８０が金属を含む場合であっても、これらの部材の電磁的な影響を受けることがない。これにより、無線通信機能の性能を確保することができる。
【００３７】
［アンテナユニット５０の第２の実施形態］
次に、本発明の第２の実施形態について、図６を参照して説明する。なお、アンテナユニット５０の構成については、図３と同様であるため説明を省略する。図６に示すように、本実施形態では、アンテナユニット５０は、ＬＣＤユニット９０と拡散シート８８の間に、アンテナ７０が開口部８０Ａから臨める位置に配置されている。なお、ＬＣＤトップ８０が金属等の導体の場合には、アンテナ７０は、開口部８０Ａの縁にかからないサイズとなる。本実施形態のようにアンテナユニット５０を配置しても、カメラボディ１２やＬＣＤトップ８０等の部材の電磁的な影響を低減し、無線通信機能の性能を確保することができる。
【００３８】
［アンテナユニット５０の第３の実施形態］
次に、本発明の第３の実施形態について、図７を参照して説明する。なお、アンテナユニット５０の構成については、図３と同様であるため説明を省略する。図７に示すように、本実施形態では、アンテナユニット５０は、ＬＣＤボトム８２の直上に、アンテナ７０が開口部８０から臨める位置に配置されている。なお、ＬＣＤトップ８０が金属等の導体の場合には、アンテナ７０は、開口部８０Ａの縁にかからないサイズとなる。本実施形態のようにアンテナユニット５０を配置しても、カメラボディ１２やＬＣＤトップ８０等の部材の電磁的な影響を低減し、無線通信機能の性能を確保することができる。
【００３９】
［アンテナユニット５０の第４の実施形態］
次に、本発明の第４の実施形態について、図８を参照して説明する。図８は、本実施形態に係るＬＣＤボトム８２を示す図である。図８（ａ）は斜視図であり、図８（ｂ）は平面図である。図８に示すように、本実施形態のＬＣＤボトム８２は樹脂（絶縁体）製であり、その底面には開口部１００が形成されている。開口部１００には、２対のアンテナ７０Ａ−１´、７０Ａ−２´、７０Ｂ−１´及び７０Ｂ−２´により構成されるダイポールアンテナ７０´が埋め込まれている。このアンテナ７０´は、例えば、金属製の電極により構成される。なお、アンテナの数は２対より多くても少なくてもよく、アンテナの向きは液晶モニタ１８の縦又は横方向であってもよい。また、アンテナ７０としては、図３に示したダイポールアンテナ以外のアンテナを用いてもよい。
【００４０】
図８に示すように、１対のアンテナ７０Ａ−１´及びアンテナ７０Ａ−２´と、アンテナ７０Ｂ−１´及び７０Ｂ−２´は、それぞれＬＣＤボトム８２の対角線方向に配置されており、その両端の距離ｄ３が、無線通信に用いる電波の波長λの２分の１とほぼ同じ長さ、又は波長λの２分の１より小さくなるように配置される（ｄ３≦λ／２）。従って、アンテナ１本の長さｄ４は、上記波長λの４分の１とほぼ同じ長さ、又は波長λの４分の１より小さくなる（ｄ４≦λ／４）。なお、ＬＣＤトップ８０が金属等の導体の場合には、アンテナ７０は、開口部８０Ａの縁にかからないサイズとなる。また、ＬＣＤボトム８２のサイズは、アンテナ７０を収めることができるサイズとなる。本実施形態のようにアンテナを配置しても、カメラボディ１２やＬＣＤトップ８０等の部材の電磁的な影響を低減し、無線通信機能の性能を確保することができる。なお、本実施形態では、ＬＣＤボトム８２は金属製として、開口部１００の内側の面に絶縁体を塗布するようにしてもよい。
【００４１】
［アンテナユニット５０の第５の実施形態］
次に、本発明の第５の実施形態について、図９を参照して説明する。なお、アンテナユニット５０の構成については、上記第４の実施形態と同様であるため説明を省略する。図９に示すように、本実施形態では、アンテナユニット５０は、ＬＣＤボトム８２の下側（カメラボディ１２の内部側）に配置されている。アンテナ７０のサイズは、上記開口部８０Ａよりも小さくなっている。本実施形態のようにアンテナユニット５０を配置しても、カメラボディ１２やＬＣＤトップ８０等の部材の電磁的な影響を低減し、無線通信機能の性能を確保することができる。
【００４２】
なお、本発明の表示装置は、上記した撮像装置のほか、パーソナルコンピュータ（例えば、ノート型ＰＣ）のモニタや、携帯情報端末（ＰＤＡ）、無線通信機能を有する携帯フォトプレーヤ（例えば、iPod Photo（登録商標）等）、電子ブック端末、携帯電話機、電波時計等に適用することができる。
【００４３】
なお、上記の実施形態では、サイドライト型の液晶モニタについて説明したが、他の形態の液晶モニタや有機ＥＬ（electro-luminescence）等の他の方式の表示手段を用いる場合にも本発明を適用できる。例えば、アンテナユニット５０は、液晶モニタ１８の表示面側（ＬＣＤトップ８０側）や反射板８４、導光板８６又は拡散シート８８等の光を透過する光学部材の間に配置してもよく、この場合には、アンテナユニット５０を透明電極材料により構成すればよい。また、アンテナユニット５０を、ＬＣＤボトム８２の前後等の光の通過する経路外に配置する場合には、不透明の物質（例えば、金属等）によりアンテナユニット５０を形成すればよい。
【図面の簡単な説明】
【００４４】
【図１】本発明の一実施形態に係る表示装置を備える撮像装置の外観を示す斜視図
【図２】撮像装置１０の主要構成を示すブロック図
【図３】アンテナユニットを示す平面図
【図４】液晶モニタ１８を分解して示す斜視図
【図５】ＬＣＤユニット及びバックライトユニットの主要部を分解して示す斜視図
【図６】アンテナユニット５０の第２の実施形態を示す斜視図
【図７】アンテナユニット５０の第３の実施形態を示す斜視図
【図８】アンテナユニットの第４の実施形態を示す図
【図９】アンテナユニット５０の第５の実施形態を示す斜視図
【符号の説明】
【００４５】
１０…撮像装置、１２…カメラボディ、１４…ファインダ接眼部、１６…ファインダランプ、１８…液晶モニタ（ＬＣＤ）、２０…操作スイッチ、２２…レリーズボタン、２４…電源スイッチ、３０…ＣＰＵ、３２…バス、３４…操作部、３６…メモリ、３８…メモリ制御部、４０…外部通信Ｉ／Ｆ、５０…アンテナユニット、５２…無線通信ユニット、５４…光学系（レンズ）、５６…撮像素子、５８…Ａ／Ｄ変換器、６０…画像処理部、６２…メモリカード、６４…外部メモリ制御部、７０…アンテナ、７２…アンテナ保護部材、７４…電極、８０…ＬＣＤトップ、８２…ＬＣＤボトム、８０Ａ…開口部、８４…反射板、８６…導光板、８８…拡散シート、９０…ＬＣＤユニット、７０Ａ´、７０Ｂ´…アンテナ、１００…開口部
【図１】
2007251550.tif 000003
【図２】
2007251550.tif 000004
【図３】
2007251550.tif 000005
【図４】
2007251550.tif 000006
【図５】
2007251550.tif 000007
【図６】
2007251550.tif 000008
【図７】
2007251550.tif 000009
【図８】
2007251550.tif 000010
【図９】
2007251550.tif 000011